(57)【要約】【課題】視認性を高めた画面を提供可能な照明サーバおよび照明装置を提供する。【解決手段】照明装置は、複数の照明器具と、クライアント端末と通信可能な照明サーバと、を備えている。照明サーバは、複数の照明器具の情報を表示させた画面をクライアント端末に表示させる通信をクライアント端末との間で行う。画面は、複数の照明器具それぞれと個別に対応付けられた複数の照明シンボルを含む。照明シンボルは、アイコンと、アイコンに対応付けられた照明器具情報と、を含む。ユーザによる照明器具情報の表示位置を指定するための設定操作に応答してクライアント端末の画面の中における照明器具情報の表示位置を複数の照明シンボルごとに互いに異ならせて変更可能である。【選択図】図１
2018139234.tif 000002
【特許請求の範囲】
【請求項１】
複数の照明器具と、クライアント端末と通信可能な照明サーバと、を備え、
前記照明サーバは、前記複数の照明器具の情報を表示させた画面を前記クライアント端末に表示させる通信を前記クライアント端末との間で行い、
前記画面は、前記複数の照明器具それぞれと個別に対応付けられた複数の照明シンボルを含み、
前記照明シンボルは、アイコンと、前記アイコンに対応付けられた照明器具情報と、を含み、
ユーザによる前記照明器具情報の表示位置を指定するための設定操作に応答して前記クライアント端末の画面の中における前記照明器具情報の表示位置を前記複数の照明シンボルごとに互いに異ならせて変更可能である照明装置。
【請求項２】
前記照明サーバが、複数の前記クライアント端末と通信するように構築され、
前記照明器具情報の表示位置を、前記複数の前記クライアント端末ごとに互いに異ならせて変更可能である請求項１に記載の照明装置。
【請求項３】
複数の照明器具およびクライアント端末と通信可能であり、
前記複数の照明器具の情報を表示させた画面を前記クライアント端末に表示させる通信を前記クライアント端末との間で行い、
前記画面は、前記複数の照明器具それぞれと個別に対応付けられた複数の照明シンボルを含み、
前記照明シンボルは、アイコンと、前記アイコンに対応付けられた照明器具情報と、を含み、
ユーザによる前記照明器具情報の表示位置を指定するための設定操作に応答して前記クライアント端末の画面の中における前記照明器具情報の表示位置を前記複数の照明シンボルごとに互いに異ならせて変更可能である照明サーバ。
【発明の詳細な説明】
【技術分野】
【０００１】
本発明は、照明サーバおよび照明装置に関する。
【背景技術】
【０００２】
従来、例えば、特許第５２５５３８５号公報に開示されているように、仕込み図を表示する機能を備えた調光操作卓が知られている。この仕込み図は、照明負荷が配置される室内等の空間の地図（見取り図）に、各照明負荷の位置及び向きが記入された図である。この調光操作卓において、回路番号が対応付けられた照明負荷のマークと、該照明負荷のマークによって表現された照明負荷に行なわせるべき制御の内容とが、それぞれ操作部への操作入力によって指定される。この指定があると、制御部は、指定された照明負荷のマークに対応付けられた回路番号の照明負荷に対して指定された内容の制御を行わせる制御信号を生成する。さらに、通信部を制御して該制御信号を調光器へ送信させる。なお、この公報では、調光操作卓がコンピュータネットワークと接続することは記載されておらず、スタンドアローンの装置であると考えられる。
【先行技術文献】
【特許文献】
【０００３】
【特許文献１】特許第５２５５３８５号公報
【発明の概要】
【発明が解決しようとする課題】
【０００４】
オフィスビルディングなどに設けられた複数の照明器具を、サーバを用いて一括管理する照明装置が知られている。この照明装置では、上記従来の技術にかかる仕込み図と同様に、オフィスビルディングなどの建物全体或いはそのワンフロアの間取り図に複数の照明器具の位置を示す照明シンボルを表示して、端末装置の画面上でそれらの照明器具を制御している。これにより、建物全体の照明器具を一括して管理することができる。
【０００５】
照明シンボルは、アイコン画像と、そのアイコン画像の周囲に設けられた文字情報とを含むことがある。上記のように端末の画面上で間取り図と照明シンボルとを重なり合って表示させると、位置関係によっては文字情報の読み取りが困難になることもある。従来は、この照明シンボルにおけるアイコン画像と文字情報との位置関係の調整については、初期画面生成時のまま固定されているか、あるいは変更可能であったとしても柔軟性が低く、視認性向上についていまだ改善の余地があった。
【０００６】
本発明は、上述のような課題を解決するためになされたもので、視認性を高めた画面を提供可能な照明サーバおよび照明装置を提供することを目的とする。
【課題を解決するための手段】
【０００７】
第１の発明にかかる照明装置は、複数の照明器具と、クライアント端末と通信可能な照明サーバと、を備え、前記照明サーバは、前記複数の照明器具の情報を表示させた画面を前記クライアント端末に表示させる通信を前記クライアント端末との間で行い、前記画面は、前記複数の照明器具それぞれと個別に対応付けられた複数の照明シンボルを含み、前記照明シンボルは、アイコンと、前記アイコンに対応付けられた照明器具情報と、を含み、ユーザによる前記照明器具情報の表示位置を指定するための設定操作に応答して前記クライアント端末の画面の中における前記照明器具情報の表示位置を前記複数の照明シンボルごとに互いに異ならせて変更可能である。
【０００８】
第２の発明にかかる照明サーバは、複数の照明器具およびクライアント端末と通信可能であり、前記複数の照明器具の情報を表示させた画面を前記クライアント端末に表示させる通信を前記クライアント端末との間で行い、前記画面は、前記複数の照明器具それぞれと個別に対応付けられた複数の照明シンボルを含み、前記照明シンボルは、アイコンと、前記アイコンに対応付けられた照明器具情報と、を含み、ユーザによる前記照明器具情報の表示位置を指定するための設定操作に応答して前記クライアント端末の画面の中における前記照明器具情報の表示位置を前記複数の照明シンボルごとに互いに異ならせて変更可能である。
【発明の効果】
【０００９】
第１および第２の発明によれば、アイコンと照明器具情報の位置関係を複数の照明シンボルの間で互いに独立に変更できるようにしたので、視認性を高めた画面を提供することができる。
【図面の簡単な説明】
【００１０】
【図１】本発明の実施の形態にかかる照明装置のシステム全体図である。
【図２】本発明の実施の形態にかかる監視画面を示す図である。
【図３】本発明の実施の形態にかかるユーザ画面を示す図である。
【図４】本発明の実施の形態にかかる照明シンボルを示す図である。
【図５】本発明の実施の形態にかかる照明シンボルの表示変更を示す図である。
【図６】本発明の実施の形態にかかる監視画面とユーザ画面の関係を示す図である。
【図７】本発明の実施の形態にかかる監視画面およびユーザ画面のレイヤ構造を示す模式図である。
【図８】本発明の実施の形態にかかる照明サーバのブロック図である。
【図９】本発明の実施の形態にかかる照明サーバが有するデータの模式図である。
【図１０】本発明の実施の形態にかかる照明サーバが有するデータの模式図である。
【図１１】本発明の実施の形態にかかる照明サーバが有するデータの模式図である。
【発明を実施するための形態】
【００１１】
図１は、本発明の実施の形態にかかる照明装置１のシステム全体図である。照明装置１は、複数の照明器具１３０および照明サーバ１２を備えており、全体として１つの照明システムを構成している。照明装置１は、例えばビルディング、商業施設、工業施設、その他の大規模施設などに設置することができる。照明装置１は、１つの部屋に複数の照明器具１３０が設けられ、その部屋内で複数の人が活動しているという環境下で好適に使用することができる。照明サーバ１２は、ネットワークを介して監視端末１４および複数のユーザ端末１６１〜１６６等と通信可能である。
【００１２】
概要を説明すると、照明装置１は、監視端末１４に表示される監視画面２００および複数のユーザ端末１６１〜１６６に表示されるユーザ画面３００に、それぞれ、複数の照明器具１３０の情報としての照明シンボル３１０を表示する。監視画面２００は、後述するように、複数の照明器具１３０、調光センサ１４１、照度センサ１４２、人感センサ１４３等の情報を表示させた画面である。ユーザ画面３００は、後述するように、複数の照明器具１３０の情報を表示させ、且つ、監視画面２００よりもデータ量が少ない画面である。ユーザ画面３００は、より具体的には、複数の照明器具１３０に関する表示情報および操作内容が監視画面２００よりも少ない画面である。照明装置１においては、監視端末１４に表示される監視画面２００およびユーザ端末１６１〜１６６に表示されるユーザ画面３００において操作があった場合には、照明サーバ１２によりその操作に応じた制御が実現される。
【００１３】
照明サーバ１２はウェブ（Ｗｅｂ）サーバであり、監視端末１４およびユーザ端末１６１〜１６６はクライアントであり、これらはクライアントサーバシステムを構築している。監視端末１４およびユーザ端末１６１〜１６６は、それぞれ、モニタおよび入力機器（典型的には、キーボード、およびマウス等のポインティングデバイス）を備えている。監視端末１４およびユーザ端末１６１〜１６６は例えばデスクトップパーソナルコンピュータとしてもよいが、これに限定されず、タブレットＰＣ、ノートＰＣなどのモバイルＰＣ、携帯電話などの携帯通信機器で代替されてもよい。
【００１４】
図１を参照して照明装置１の構成をより具体的に説明すると、まず、照明装置１は管理システム１０を含んでいる。管理システム１０は、照明サーバ１２および監視端末１４を備えている。監視端末１４は、少なくとも１台（典型的には数台程度）備えられており、管理者のみが使用できるように設けられた端末である。監視端末１４および照明サーバ１２は、ネットワーク２０に接続している。ネットワーク２０は、例えば１００ＢａｓｅＴのイーサネット（Ｅｔｈｅｒｎｅｔ）（登録商標）である。ネットワーク２０には、アナンシェータ１６およびＬＣＵ盤３１、３２が接続している。ＬＣＵ盤３１、３２のほかにさらに他のＬＣＵ盤が接続してもよく、あるいはＬＣＵ盤３１ひとつのみが接続していてもよい。ＬＣＵ盤３１は、例えば１０個の系統を備えている。ＬＣＵ盤３１は、専有部１１０のＦバス１２０に接続している。専有部１１０は、Ｆバス１２０と、このＦバス１２０にそれぞれ接続した天井埋込エリアコントローラ１４０、調光センサ１４１、照度センサ１４２、人感センサ１４３、壁スイッチ１４４を備えている。Ｆバス１２０には、天井埋込増幅器１４５が接続しており、この天井埋込増幅器１４５にはＦバス１２２が接続している。専有部１１０は、このＦバス１２２にそれぞれ接続した複数の照明器具１３０を備えている。複数の照明器具１３０はデジタルＩ／Ｆ付の照明器具である。複数の照明器具１３０は、調光率制御が可能な照明器具１３１と、調光率制御ができない照明器具１３２を含んでいる。複数の照明器具１３０のうち照明器具１３１は、照明器具本体１３１ａと、デジタルＩ／Ｆ付の制御ユニット１３１ｂとを備えている。制御ユニット１３１ｂに対してデジタル制御信号を送信することで、照明器具本体１３１ａの点灯状態を制御することができる。照明器具本体１３１ａは、ＬＥＤあるいは有機ＥＬを光源として備えた光源モジュールと、この光源モジュールを点灯させる点灯装置とを備えている。制御ユニット１３１ｂは、Ｆバス１２２およびネットワーク２０を介して照明サーバ１２と通信する機能を有している。これ以外の複数の照明器具１３０それぞれも、同様に、照明器具本体、およびデジタルＩ／Ｆ付の制御ユニットを備えている。
【００１５】
なお、図１では複数の照明器具１３０のうち照明器具１３１、１３２の２つのみを図示しているが、実際にはより多くのデジタルＩ／Ｆ付の照明器具がＦバス１２２に接続されている。ただし、照明サーバ１２により制御される照明器具の個数は、実際の建物の大きさおよび間取りに応じて設置される照明器具の個数に応じて決定されるものであり、本発明では特に限定されるものではない。なお、ネットワーク２０は例えばオフィスビルディング内におけるイントラネットなどの社内ネットワークの一部であってもよいが、照明サーバ１２とユーザ端末１６１〜１６６を接続するネットワークの具体的仕様などは、本発明では特に限定されない。また、図示しないゲートウェイなどを介してインターネットへ接続していてもよい。
【００１６】
図１において、専有部１１０は部屋２０８の内部に設けられている。図１で模式的に部屋２０８に設置される構成を破線で囲っている。部屋２０８は例えばオフィスフロアの一室であり、この部屋２０８にはクライアントシステム１５０が設けられている。クライアントシステム１５０は、例えば６つのクライアントＰＣであるユーザ端末１６１〜１６６がそれぞれＬＡＮ１５４に接続したものである。ＬＡＮ１５４はルータ１５２を介してネットワーク２０に接続している。クライアントシステム１５０は、これらのネットワークを介して、照明サーバ１２と通信を行うことができる。
【００１７】
照明サーバ１２は、監視画面２００を監視端末１４に表示させる通信を監視端末１４との間で行うとともに、ユーザ画面３００をユーザ端末１６１〜１６６に表示させる通信をユーザ端末１６１〜１６６との間で行う。また、監視画面２００およびユーザ画面３００はそれぞれＧＵＩ（グラフィカルユーザインターフェース）として機能し、それぞれの画面上のアイコンなどを操作することで、複数の照明器具１３０をそれぞれ制御することができる。照明装置１は、監視画面２００に対する操作とユーザ画面３００に対する操作がそれぞれあったとき、照明サーバ１２はそれらの操作に応じて複数の照明器具１３０を制御する。ここでいう「操作」には具体的には複数の照明器具１３０の点灯／消灯の切り替え、調光率の変更、各種センサの入／切（つまりオンオフ）、および各種センサのパラメータ値の変更等が含まれる。
【００１８】
好ましい形態として、本実施の形態では、Ｗｅｂブラウザによって監視画面２００およびユーザ画面３００の閲覧および操作が可能となっている。Ｗｅｂブラウザは広く普及しているので、専用ソフトウェアを用意しなくとも監視端末１４およびユーザ端末１６１〜１６６において照明に関する情報の表示および操作が可能となるという利点がある。
【００１９】
照明装置１は、共用部４０も備えている。共用部４０は、内部にリモコンリレー４３、４４を備える分電盤４２と、分電盤４２に接続した複数の照明器具５１、５２、５３を備えている（これらを共用照明器具５０とも称す）。共用照明器具５０は、リモコンリレー４３、４４と接続されている。共用部４０は、例えば廊下などの共用スペースに設置される。共用部内はＭバスで各構成が接続されている。照明サーバ１２は、リモコンリレー４３、４４のオンオフを制御することで、共用照明器具５０の点灯と消灯などを切り替える。
【００２０】
図２は、本発明の実施の形態にかかる監視画面２００を示す図である。監視画面２００は、建物の間取り図２０１、複数の照明シンボル３１０、および各種センサ（具体的には、調光センサ１４１、照度センサ１４２、人感センサ１４３など）の情報を含んでいる。複数の照明シンボル３１０は、間取り図２０１に配置された複数の照明器具１３０にそれぞれ一対一で対応付けられているか、あるいはグルーピングされたいくつかの照明器具１３０に一括で対応付けられている。間取り図２０１は、ビルディングにおけるワンフロア全体（あるいは複数の部屋を含むある程度の広さを持った区画）の間取りを示している。
【００２１】
図３は、本発明の実施の形態にかかるユーザ画面３００を示す図である。ユーザ画面３００は、建物の間取り図２０１の一部である部分間取り図３０８、および部分間取り図３０８に含まれる照明シンボル３１０を選択的に含んでいる。部分間取り図３０８は、間取り図２０１の一部の部屋を抜き出したものである。部分間取り図３０８に含まれる照明シンボル３１０を選択的に含んでいるので、ユーザ画面３００は監視画面２００よりも照明シンボル３１０の数が少ない。例えば図３では５×５＝２５個の照明シンボル３１０が図示されている。ユーザ画面３００の照明シンボル３１０は、部分間取り図３０８に実際に設置された複数の照明器具１３０に一対一で対応付けられているか、あるいはグルーピングされたいくつかの照明器具１３０に一括で対応付けられている。
【００２２】
図２と図３を用いながら監視画面２００とユーザ画面３００の機能の違いを説明する。ユーザ画面３００は、監視画面２００よりもデータ量が少なく、より具体的には、複数の照明器具１３０に関する表示情報および操作内容が監視画面２００よりも少ない。この点をより具体的に説明する。
（１）まず表示情報については、ユーザ画面３００は、監視画面２００よりも「表示範囲」が狭い。つまり、ユーザ画面３００は、部分間取り図３０８、および複数の照明シンボル３１０のうち部分間取り図３０８に含まれる照明器具に対応した一部の照明シンボル３１０のみを有する。従って、監視画面２００よりも表示範囲（あるいは表示量）が狭い。
（２）また、表示情報に関して、ユーザ画面３００の「表示内容」を監視画面２００よりも少なくして差をつけてもよい。表示内容について具体的に説明すると、例えば監視画面２００は、複数の照明器具１３０の制御に関連して、照明に関するスケジュール制御画面、省エネ明るさ制御画面、一覧制御画面、複数の照明器具１３０のグルーピング設定のためのグループ設定画面、調光率の時間的な変化を記録した調光トレンド画面などの追加的画面を表示できるようになっていてもよく、その一方でユーザ画面３００にはこれらの追加的画面を表示する機能は持たせない。
（３）また、ユーザ画面３００は、監視画面２００よりも操作内容が少ない。つまり、ユーザ画面３００の操作内容は、本実施の形態では、複数の照明器具１３０の点灯／消灯の切替、および調光率の調整に限られている。これに対し、監視画面２００はこれに加えて、さらに他の詳細設定、たとえば初期照度補正に関する設定などを含んでいてもよい。
【００２３】
このような違いを持たせる理由は、管理者側、ユーザ側の利用目的を考慮し、監視画面２００とユーザ画面３００のそれぞれの役割が異なるからである。監視画面２００は一括管理を目的としているので、ワンフロア全体など比較的広範囲にわたって多数の照明器具の状態を表示したりそれらの照明器具を操作したりする必要がある。これに対しユーザ画面３００は、ユーザ端末１６１〜１６６を使用するユーザが必要とする最低限の機能を持っていればよい。つまり、表示範囲はそのユーザ端末１６１〜１６６の周辺にある少数の照明器具だけで足り、操作内容も点灯／消灯の切替があればよく、好ましくはさらに調光率を調整できればよい。これにより、それぞれの部屋に設けられた壁スイッチ１４４まで移動しなくとも、ユーザ端末１６１〜１６６の使用中にユーザ端末１６１〜１６６により簡単に複数の照明器具１３０を操作することができる。また、管理システム１０において設定した詳細設定についてはユーザ画面３００を介した変更ができず、監視端末１４を介してのみそのような詳細設定を変更することできる。よって、管理者による詳細設定がユーザ端末１６１〜１６６を使用するユーザによって不用意に変更されることを防止することができる。さらに、上記の違いによれば、データ通信量という観点から、ユーザ画面３００のデータ量を監視画面２００よりも少なく抑えることができる。多数設けられるユーザ端末１６１〜１６６それぞれと照明サーバ１２とが通信を行っても、１つ１つのデータ通信量を抑制しているので、全体としての通信負荷を抑制でき、ユーザ画面３００を表示させるユーザ端末１６１〜１６６の個数を例えば３０００個などまで増やすことができる。
【００２４】
なお、本実施の形態では好ましい形態として、ユーザ画面３００のデータ量を監視画面２００よりも小さくするために、表示範囲および操作対象の両方に差をつけている。しかしながら、本発明はこれに限られず、表示範囲と操作対象のどちらか一方にのみ差をつけることにより、ユーザ画面３００のデータ量を監視画面２００よりも小さくしてもよい。
【００２５】
本実施の形態では、好ましい形態として、監視端末１４を操作する管理者が複数の照明シンボル３１０をそれぞれ監視画面２００上で移動することで、間取り図２０１に対する相対的な位置を事後的に変更することができる。移動方法としては、例えば、ポインティングデバイスでドラッグアンドドロップをすることでモニタ上のアイコンを個別に或いはまとめて移動する一般的なコンピュータ操作と同様の操作により、複数の照明シンボル３１０をそれぞれ移動可能としてもよい。
【００２６】
図３にはユーザ画面３００が図示されている。監視画面２００およびユーザ画面３００には、予め互いに異なるＵＲＬ（Uniform Resource Locator）が割り当てられている。監視端末１４およびユーザ端末１６１〜１６６においてＷｅｂブラウザ３０２にそれぞれＵＲＬを入力することで、監視画面２００がＷｅｂブラウザ上で閲覧される。Ｗｅｂブラウザ３０２のＵＲＬ入力欄３０６にＵＲＬを入力することで、メイン画面３０４に部分間取り図３０８および複数の照明シンボル３１０が表示される。
【００２７】
図４は、本発明の実施の形態にかかる照明シンボル３１０を示す図である。照明シンボル３１０は、アイコン３１２と、その周辺に文字の形態で表示された照明情報３１４および調光率情報３１６を含んでいる。ユーザ画面３００に含まれる操作内容は、複数の照明器具１３０の点灯／消灯の切替および調光率の変更を含む。ユーザインタフェース（典型的にはマウス）を用いてアイコン３１２を操作（例えばクリック）すると、この照明シンボル３１０と予め対応付けられた照明器具（例えば照明器具１３１）の点灯／消灯を切り替えることができる。点灯／消灯の切替に伴って、アイコン３１２の図柄も予め設定した点灯図柄と消灯図柄との間で切り替わる。また、同様に調光率情報３１６をクリックすると、スライダ３１８が出現し、このスライダ３１８を操作することでこの照明シンボル３１０と予め対応付けられた照明器具（例えば照明器具１３１）の調光率を変更することができる。Ｗｅｂページ上でこのような操作を実現するプログラミング技術はすでに公知の各種技術を使用すればよく、本発明では特に限定しない。
【００２８】
なお、図４に示す照明シンボル３１０は一例であり、本発明はこれに限定されない。さまざまな文字、図形、記号、色彩またはこれらの結合を用いて画面上に複数の照明器具１３０の情報を表示することができる。照明シンボル３１０にアイコン画像を含ませることはユーザにとって直感的な操作を可能するという利点があるが、必ずしも必須ではない。また、必ずしも照明シンボル３１０に文字情報を含めなくともよい。なお、監視画面２００とユーザ画面３００の画面デザインは統一されていてもよく、あるいは互いに異なっていてもよい。例えば、監視画面２００とユーザ画面３００との間で必ずしも同じ照明シンボル３１０を用いなくともよく、例えばユーザ画面３００の照明シンボル３１０をより簡略化して照明サーバ１２とユーザ端末１６１〜１６６との間のデータ通信量を減らしてもよい。
【００２９】
図５は、本発明の実施の形態の変形例にかかる照明シンボル３１０の表示変更を示す図である。以下に説明する表示変更機能を付加することが好ましい。図４と図５を比較すると、照明情報３１４がアイコン３１２の紙面下側に、調光率情報３１６がアイコン３１２の紙面右側にそれぞれ移動している。このように照明情報３１４および調光率情報３１６（これらをまとめて「照明器具情報」とも称す）を表示する位置の変更が可能であることが好ましい。好ましくは、複数の照明シンボル３１０それぞれの表示変更を互いに独立に可能としてもよい。つまり１つの照明シンボル３１０は図４に示すレイアウトとし、他の照明シンボル３１０は図５に示すレイアウトとする、というように、複数の照明シンボル３１０の間で照明器具情報の表示位置を相違させることを可能としてもよい。間取り図２０１あるいは部分間取り図３０８と照明シンボル３１０とが重なり合うと位置関係によっては視認性が低下することもあるので、個別に調節できることが好ましいからである。そのための手段の一例としては、一つのユーザ画面３００に含まれるそれぞれの照明シンボル３１０に、固有の「文字情報配置データ」を持たせておいてもよい。なお、この表示変更機能は、ユーザ端末１６１〜１６６それぞれにおいて互いに異なる表示変更を可能としてもよく、ユーザの一人の表示位置設定が他のユーザの表示位置設定に影響しないように互いに独立化させてもよい。ユーザごとに見易さが異なることもありうるからである。そのための手段の一例としては、ユーザ端末１６１〜１６６それぞれに与えられるユーザ画面３００それぞれに、固有の「文字情報配置管理用データ」を持たせておいてもよい。
【００３０】
なお、この表示変更機能を実現するプログラムを照明サーバ１２で実行する権限は、監視端末１４とユーザ端末１６１〜１６６の両方に持たせてもよく、あるいは監視端末１４のみに持たせてもよい。
【００３１】
図６は、本発明の実施の形態にかかる監視画面２００とユーザ画面３００、３０１の関係を示す図である。間取り図２０１における部屋２０８を抜き出した部分間取り図３０８およびこれに含まれる照明シンボル３１０が、ユーザ画面３００に含まれている。ユーザ画面３００は、表示内容が同じ複数のユーザ画面３００１、３００２、・・・３００ｎを含む。ユーザ画面３００１〜３００ｎは、それぞれ互いに異なるＵＲＬが割り当てられている。つまりＵＲＬテーブルＴＢ１に含まれるＵＲＬ００１、ＵＲＬ００２、・・・ＵＲＬ００ｎがそれぞれユーザ画面３００１、３００２、・・・３００ｎに一対一対応で関連付けられている。間取り図２０１における部屋２１０を抜き出した部分間取り図３０９およびこれに含まれる照明シンボル３１０がユーザ画面３０１に含まれる。同様に、ユーザ画面３０１も、互いに表示内容が同じ複数のユーザ画面３０１１、３０１２、・・・３０１ｎを備えている。ＵＲＬテーブルＴＢ２に含まれるＵＲＬ０１１、ＵＲＬ０１２、・・・ＵＲＬ０１ｎが、それぞれユーザ画面３０１１、３０１２、・・・３０１ｎに一対一対応で関連付けられている。本実施の形態では例示のため部屋２０８、部屋２１０のみについて説明したが、より多くの部屋について同様にユーザ画面３００、３０１を作成してもよい。
【００３２】
図７は、本発明の実施の形態にかかる監視画面２００およびユーザ画面３００のレイヤ構造を示す模式図である。ユーザ画面３００は、地図レイヤ３２２と、この地図レイヤ３２２に重ねられ複数の照明シンボル３１０が並べられた照明シンボルレイヤ３２０を含んでいる。なお、地図レイヤ３２２および照明シンボルレイヤ３２０を備える点は、監視画面２００も同様である。地図レイヤ３２２には、間取り図２０１が定められている。間取り図２０１には、ＣＡＤデータなどから生成した部屋の平面図、およびその部屋に設置された照明器具の取り付け位置が定められている。地図レイヤ３２２における照明器具と、照明シンボルレイヤ３２０における照明シンボル３１０は、互いに個数および位置関係が一致していることが好ましい。しかしながら必ずしもこれに限られるものではない。例えば視認性などの理由から便宜的に照明シンボル３１０の表示位置と実際の照明器具取付位置とを厳密に一致させなくてもよく、例えば複数の照明器具１３０の一部をグルーピングして１つの照明シンボルでまとめて管理してもよい。この場合には、グルーピングした一群の照明器具を代表する１つの照明シンボル３１０のみを監視画面２００およびユーザ画面３００に表示してもよい。
【００３３】
照明サーバ１２は、監視端末１４の操作に応じて監視画面２００および操作画面の内容を変更し、ユーザ端末１６１〜１６６によるユーザ画面３００の変更は禁止する。つまり、監視端末１４では、地図レイヤ３２２と照明シンボルレイヤ３２０それぞれの設定（具体的には、間取り図２０１あるいは照明シンボル３１０の表示位置、形状、内容など）を変更することができる。しかし、ユーザ端末１６１〜１６６においては地図レイヤ３２２および照明シンボルレイヤ３２０のいずれも変更はできず、与えられたユーザ画面３００を参照し、予め与えられた操作（図４で説明したアイコンのクリックによる照明器具１３０の点灯／消灯の切替、および調光率の変更など）を行うことしかできない。
【００３４】
図８は、本発明の実施の形態にかかる照明サーバ１２のブロック図である。照明サーバ１２は、処理装置１２ａと、不揮発性の記憶デバイスであり典型的にはハードディスクドライブなどの大容量ストレージである補助記憶装置としての記憶装置１２ｂと、主記憶装置としてのＤＲＡＭ、ＳＲＡＭなどのメモリ１２ｃと、通信インターフェース１２ｄとを備えている。これらは内部バスを通じて互いにデータ通信がなされている。処理装置１２ａは、メモリ１２ｃおよび記憶装置１２ｂと接続して演算処理を実行する。ただし照明サーバ１２はすでに公知の各種サーバを利用すればよいので同様のデータ処理を実施できればよく、特にハードウェアおよびソフトウェアの構成は限定しない。記憶装置１２ｂは、地図データ４００と、照明シンボルデータ５００と、図６に示したＵＲＬテーブルＴＢ１、ＴＢ２と、識別テーブル６００とを記憶している。
【００３５】
図９〜１１は、本発明の実施の形態にかかる照明サーバ１２が有するデータの模式図である。図９に示す地図データ４００は、それぞれが建物の間取り図２０１を有する複数の地図レイヤ３２２からなる。図１０に示す照明シンボルデータ５００は、複数の照明シンボルレイヤ３２０からなる。照明シンボルレイヤ３２０それぞれは、照明の「シンボル関連データ」を含んでいる。「シンボル関連データ」は、具体的には、図４および図５に示した、アイコン３１２の画像データ、照明器具情報（つまり照明情報３１４および調光率情報３１６）を示す文字データ、照明シンボルレイヤ３２０上における各照明シンボル３１０の個数および位置、および、図５で説明した照明器具情報の表示位置を含む電子データである。地図データ４００から選択された地図レイヤ３２２と照明シンボルデータ５００から選択された照明シンボルレイヤ３２０とが組み合わされて１つのユーザ画面３００を生成することができる。ＵＲＬテーブルＴＢ１、ＴＢ２は、図６で説明したとおり、ユーザ画面３００１〜３００ｎそれぞれと互いに異なる複数のＵＲＬとを対応付けるテーブルである。例えばＵＬＲテーブルＴＢ１のなかの１つのＵＲＬ００１が、１つのユーザ画面３００１に対応付けられている。ユーザ画面３００１は、予め決定された地図レイヤ３２２および照明シンボルレイヤ３２０とから形成される。
【００３６】
なお、上記はデータ構造の一例として地図レイヤ３２２と照明シンボルレイヤ３２０の組として監視画面２００およびユーザ画面３００をそれぞれ生成しており、これにより間取り図２０１の変更や照明シンボル３１０の変更を個別のデータ修正により行うことができる。しかしながら、本発明はこのような形態に限られるものではない。本発明はこのような複数のレイヤに分けて個別にデータを管理するデータ構造形態に限定されるものではなく、公知の画像データ生成方法、ＧＵＩデータ生成方法、Ｗｅｂページ生成方法をそれぞれ使用すればよく、レイヤを分けずに間取り図２０１および照明シンボル３１０を一体に生成、管理、表示、および変更するデータ構造形態であってもよい。
【００３７】
図１１に示す識別テーブル６００には、複数の照明器具１３０についての情報がまとめられている。識別テーブル６００には、識別情報ごとに器具種別、状態、およびシンボル名が入力されている。「識別情報」は、照明装置１が設置される建物に設けられた複数の照明器具１３０それぞれを識別するための情報である。例えば照明器具１３１、１３２にはそれぞれ固有の識別情報が予め割り振られている。「器具種別」の欄には、識別情報で識別される照明器具（例えば照明器具１３１）の仕様が記録されており、例えば、その照明器具（例えば照明器具１３１）が調光制御機能を有しているのか否かなどが記録されている。「状態」には、識別情報で識別される照明器具（例えば照明器具１３１）がいかなる状態にあるかが上書き可能に書き込まれており、点灯／消灯のいずれの状態にあるかが書き込まれたり、調光制御可能な照明器具であれば現在の調光率が何％かが書き込まれている。このような書込処理は記憶装置１２ｂにプログラムの形態で保存され、処理装置１２ａが随時実行する。「シンボル名」は、シンボル関連データと識別情報との対応関係を定めた情報であり、「状態」に書き込まれた内容に従って監視画面２００およびユーザ画面３００のそれぞれの照明シンボル３１０の表示画像、文字情報を更新する。また、「シンボル名」は、監視画面２００およびユーザ画面３００上でなんらかの操作があったときにどの照明器具に対してどのような制御を行えばよいかという対応関係を判別するために用いられる。なお、図８に例示するように、ＬＣＵ盤番号ＬＣＵ１・・・ＬＣＵｎごとに、複数の照明器具１３０の識別情報がまとめられていてもよい。
【００３８】
通信インターフェース１２ｄは、ネットワーク（具体的にはネットワーク２０）と接続している。通信インターフェース１２ｄは、ＬＣＵ盤３１、３２に入っているコントローラと通信しており、複数の照明器具１３１、１３２（具体的にはその内部の制御ユニット１３１ｂ）、監視端末１４、およびユーザ端末１６１〜１６６とそれぞれ通信可能である。
【００３９】
図１を用いて、照明装置１の動作を説明する。導入段階と運用段階とをそれぞれ説明すると、まず、照明装置１の導入段階では、監視端末１４に表示させるべき監視画面２００、およびユーザ端末１６１〜１６６それぞれに表示させるユーザ画面３００の生成が行われる。図６で説明したように、部屋２０８、２１０ごとに異なるユーザ画面３００、３０１がそれぞれ個別に作成される。これらの画面を生成するために、照明装置１を導入する建物の地図データ４００、照明シンボルデータ５００、ＵＲＬテーブルＴＢ１，ＴＢ２、および識別テーブル６００を作成する。
【００４０】
次に運用段階に入ると、ユーザ端末１６１〜１６６のユーザには、それぞれ、予め何らかの通信手段によりＵＲＬ００１〜００ｎのいずれかを伝達しておく。処理装置１２ａは、ユーザ端末１６１〜１６６からの識別信号（URL）にしたがって、ユーザ画面３００を表示させるための信号をユーザ端末１６１〜１６６に送信する。例えば、図１におけるユーザ端末１６１のユーザが、ユーザ端末１６１のＷｅｂブラウザにおいてＵＲＬテーブルＴＢ１のＵＲＬ００１を入力する。これにより、ユーザ端末１６１のモニタに、ＵＲＬ００１に予め対応付けられているユーザ画面３００１が表示される。図６で説明したように、記憶装置１２ｂには、複数のユーザ画面３００が格納されており、複数のユーザ画面３００それぞれが個別のＵＲＬを備える。よって、他のユーザ端末１６２のユーザがＵＲＬ００２をＷｅｂブラウザに入力することで、このユーザはユーザ画面３００２を閲覧できる。
【００４１】
次に、例えばユーザ端末１６１のユーザが、ユーザ画面３００１における、照明器具１３１に対応付けられた照明シンボル３１０のアイコン３１２をクリックしたとする。このクリックに応じて、照明器具１３１を制御するための通信および処理が実行される。つまり、このクリック操作に応じた操作信号がユーザ端末１６１から送信され、照明サーバ１２はネットワーク２０を介してこの操作信号を受信する。ここでは、一例として、アイコン３１２をクリックすると点灯／消灯が切り替わるという設定がされているものとする。照明サーバ１２の処理装置１２ａは、ユーザ端末１６１において照明器具１３１に対応付けられたアイコン３１２がクリックされたことを示す操作信号を受信したとき、照明器具１３１の点灯／消灯を切り替えるための制御信号を制御ユニット１３１ｂに送信する。さらに、点灯／消灯が切り替わったので、照明器具１３１に対応付けられた照明シンボル３１０の表示を変更するための通信および処理が実行される。つまり照明サーバ１２において識別テーブル６００内の状態書き換えが行われ、アイコン３１２の表示が切替えられる。このように、処理装置１２ａは、通信インターフェース１２ｄからの通信内容に基づいて監視画面２００およびユーザ画面３００の表示内容を変更する。
【００４２】
なお、アイコン３１２の表示切替（つまり最新状態への更新）は、操作が行われたユーザ端末１６１のみならず、操作が行われていないユーザ端末１６２〜１６６のユーザ画面３００においても同期して行われることが好ましい。ユーザ端末１６２〜１６６は、ユーザ端末１６１と同じ部屋２０８に設置されており、同じユーザ画面３００１と同じ内容のユーザ画面３００２〜３００ｎを有するからである。なお、例えば複数のユーザ端末１６１、１６２の間で同じ照明器具（例えば照明器具１３１）に対する操作が競合したときには、例えば、時間的に最も後になされた操作（つまり最新の操作）を優先してもよい。なお、ここではアイコン３１２をクリックすることで点灯／消灯が切り替わる場合を説明したが、図４で説明したようにスライダ３１８で調光率を変更する操作があったときも上記と同様である。すなわち、操作されたスライダ３１８に対応付けられた特定の照明器具（例えば照明器具１３１）の調光制御、およびこれに対応づけられた照明シンボル３１０の調光率表示を切り替えるための通信および処理を照明サーバ１２が実行すればよい。
【００４３】
以上説明したように、本実施の形態によれば、監視画面２００よりも機能を絞ったユーザ画面３００を介してユーザ端末１６１〜１６６と照明サーバ１２を通信させるようにしている。これにより、ユーザ端末１６１〜１６６の使用中にユーザ端末１６１〜１６６によりそれぞれのユーザが個別にかつ簡単に複数の照明器具１３０を操作するシステムをコンピュータネットワーク上で実現することができる。
【符号の説明】
【００４４】
１  照明装置、１０  管理システム、１２  照明サーバ、１２ａ  処理装置、１２ｂ  記憶装置、１２ｃ  メモリ、１２ｄ  通信インターフェース、１４  監視端末、１６  アナンシェータ、２０  ネットワーク（イーサネット（登録商標））、３１、３２  ＬＣＵ盤、４０  共用部、４２  分電盤、４３、４４  リモコンリレー、５０  共用照明器具、５１〜５３  照明器具、１１０  専有部、１２０  Ｍバス、１２２  Ｆバス、１３０、１３１、１３２  照明器具、１３１ａ  照明器具本体、１３１ｂ  制御ユニット、１４０  天井埋込エリアコントローラ、１４１  調光センサ、  １４２  照度センサ、１４３  人感センサ、  １４４  壁スイッチ、  １４５  天井埋込増幅器、１５０  クライアントシステム、１５２  ルータ、１５４  ＬＡＮ、１６１〜１６６  ユーザ端末、２００  監視画面、２０１  間取り図、２０８、２１０  部屋、３００、３０１、３００１〜３００３、３０１１〜３０１３  ユーザ画面、３０２  ブラウザ、３０４  メイン画面、３０６  ＵＲＬ入力欄、３０８、３０９  部分間取り図、３１０  照明シンボル、３１２  アイコン、３１４  照明情報、３１６  調光率情報、３１８  スライダ、３２０  照明シンボルレイヤ、３２２  地図レイヤ、４００  地図データ、５００  照明シンボルデータ、６００  識別テーブル、ＴＢ１、ＴＢ２  ＵＲＬテーブル
【図１】
2018139234.tif 000003
【図２】
2018139234.tif 000004
【図３】
2018139234.tif 000005
【図４】
2018139234.tif 000006
【図５】
2018139234.tif 000007
【図６】
2018139234.tif 000008
【図７】
2018139234.tif 000009
【図８】
2018139234.tif 000010
【図９】
2018139234.tif 000011
【図１０】
2018139234.tif 000012
【図１１】
2018139234.tif 000013